(57)【要約】      （修正有）【課題】表面において汚れが少なく、簡単に汚れを拭きとることができて、衝撃による擦り傷がつき難い医療福祉家具を提供する。【解決手段】木製板材で構成された引き出しと、開き戸付き棚と、電気機器を収納可能な空間棚と、スライドテーブルを持つ収納部と、テレビなどの載置台と、引き戸付き棚と、テーブル台とからなる木製医療福祉家具において、汚れを少なく、擦り傷のない家具にするために、木製医療福祉家具の前面、又は台に、メラミン樹脂を処理した化粧板１２を使用している。【選択図】図１
0003207362.tif 000002
【実用新案登録請求の範囲】
【請求項１】
木製板材で構成された引き出と、開き戸付き棚と、電気機器を収納可能な空間棚と、スライドテーブルを持つ収納部と、テレビなどの載置台と、引き戸付き棚と、テーブル台とから選ばれたなる木製医療福祉家具において、汚れを少なく、擦り傷のない家具にするために、前記木製医療福祉家具の前面、又は台に、メラミン樹脂を処理した化粧板を使用していることを特徴とする傷付き難い医療福祉家具。
【請求項２】
メラミン樹脂を処理した化粧板は、７〜３０ｍｍの厚さの木材チップを原料とする成形板材と木材の繊維素を原料とする繊維板材の表面にメラミン樹脂を溶融したものを加圧付着処理した材料であり、前記材料を家具の前面、又はテーブル台面に適切に切断、結合して使用されていることを特徴とする請求項１記載の傷付き難い医療福祉家具。
【請求項３】
医療福祉家具は、表装材の表面には、０・０５〜１ｍｍの生地色から濃厚色、又は自然素材の木質の質感をもつ模様を施した突板、又は樹脂フイルムを貼って、床頭台、ロッカー、食卓台、チェストになっていることを特徴とする請求項１、又は請求項２に記載の傷付き難い医療福祉家具。
【請求項４】
板材へのメラミン樹脂処理は、木材チップを原料とする成形板材であるパーチクルボードと、木材の繊維素を原料とする繊維板材であるＭＤＦ上の平滑な化粧紙の表面に含侵させた前記樹脂を１〜１０ｋｇ／ｍ２の低圧状態で加圧付着して、０．０５〜０．５ｍｍのメラミン層を設けて、表面の硬さを４Ｈ〜１０Ｈにしていることを特徴とする請求項１〜請求項３のいずれかに記載の傷付き難い医療福祉家具。
【考案の詳細な説明】
【技術分野】
【０００１】  本考案は汚れ、擦り傷に強い医療福祉家具に関する。詳しくは病室内、或いは介護施設、養護施設などに配置される木製の床頭台、テーブル、チェストなどに表面、および台面に汚れ、擦り傷に強い家具を提供する床頭台などの医療福祉家具に係るものである。
【背景技術】
【０００２】  従来、病院における入院患者のベット横には床頭台、チェストなどの収納用家具が配置される。この床頭台、チェストは、患者の持ち物を入れる収納部とテレビなどを載置する載置台、開き戸付き棚により構成される。この床頭台での載置台付近にはボードが立設され、病院内の医薬、食事などを搬送して、摂取時にこぼれが起こり、家具の汚れも見られる、またベット，車椅子、処理台車などが、前記家具に当たって、傷をつける場合が病院内、介護施設ではたびたび起こるものであって、家具類の破損も起こるものである。【０００３】机や本棚等の金属製の家具等の被着体に対する取り付け／取り外しが容易であるとともに、防火性に優れた化粧板を提供にあたり、化粧板は、メラミン化粧シートと、磁性層と、メラミン化粧シートと磁性層とを接合する粘着剤層と、を有し、メラミン化粧シートは、表面層と芯材層とが積層された積層体で構成される化粧材が提案されている（特許文献１参照）。【０００４】化粧パネルを収納家具の側面に取り付ける構造として、優れた意匠感と堅固さとが両立し、かつ取付作業が容易な構造を提供するために、芯材の表面に、化粧シートとしてメラミンシートが貼付された化粧パネルを、収納キャビネットの側板の内側からねじ込まれる複数のビスと、上記側板の外面との間に介在する所定の３箇所の両面粘着テープとで取り付ける家具が提案されている（特許文献２参照）。【０００５】キッチン関連用具を収納できる家具の他端列には、内部に２個のダストボックスを収納部の内部引出しを設けて、残りを棚部にして、各棚部を食器類置き棚にしている木製、又はスチール製箱形収納容器様体であって、マルチダイニング収納容器の壁材表面に使用する防水性の高い壁装材、又は防水塗装を施した材料として、木材、又はスチール上にメラミン加工材、またはＥＢ（電子線）コーテイングシート材であることが提案されている（特許文献４参照）。【０００６】病院内、介護施設内の部屋の自然環境をもたらされる木製医療福祉家具において、病院内で汚れは禁物であり、さらに関係者の多忙で医事器具を使用において家具などに接触させることが頻繁に起こり、一般に病院などの家具では擦り傷がつく場合が非常に多い、しかしそのような対策は取られていないことが現状である。
【先行技術文献】
【特許文献】
【０００７】
【特許文献１】特開２０１３−１８０４２９号公報
【特許文献２】特開２００６−１８１１３５号公報
【特許文献３】特開平６−２５４８１３号公報
【特許文献４】実用新案登録第３１９８７３７号公報
【考案の概要】
【概要が解決しようとする課題】
【０００８】  近年、病院内では患者重視の観点からベット数を少なくしてゆとりのある入院生活ができるように快適な病室に改造する病院が増えてきている。また、高級感やあたたかいイメージ、自然的雰囲気を演出するために木製床頭台などの医療福祉家具を設置するところが多くなっている。しかしこれら医療福祉家具の付近で食事、或いは投薬を行うことが多く、それらの家具が食事中に食物、薬の飛散によって汚れが目立ってくることが多くある。さらにベット、家具類、医療機器の移動において医療福祉家具に接触することもあって、擦り傷が多くつくこともある問題があった。
【０００９】  また、通常の医療福祉家具では、木製か、あるいは表面を印刷加工した紙であり、汚れや、傷が付きやすいものである。家具の外観上損傷をもたらし、また機能的に支障をきたすことはないが、家具に貼りつけた紙片を取り外した場合には表面紙が剥がれて内部が露出した状態となり、見た目が悪くなるなどの問題がある。さらに、家具に貼りつけた紙を剥ぎ取る場合には、家具面に張られた化粧紙が破れたりするなどの問題がある。
【００１０】  本考案は、以上の点に鑑みて創案されたものであって、医療福祉家具の表面において、汚れにくく、傷もつきにくい加工表装材を取り付けることによって紙片を容易に貼り付けることができる擦り傷もつきにくい床頭台などの医療福祉家具を提供することを目的とするものである。
【課題を解決するための手段】
【００１１】  木製板材で構成された引き出と、開き戸付き棚と、電気機器を収納可能な空間棚と、スライドテーブルを持つ収納部と、テレビなどの載置台と、引き戸付き棚と、テーブル台とから選ばれたなる木製医療福祉家具において、汚れを少なく、擦り傷のない家具にするために、前記木製医療福祉家具の前面、又は台に、メラミン樹脂を処理した化粧板を使用している傷付き難い医療福祉家具である。
【００１２】メラミン樹脂を処理した化粧板は、７〜３０ｍｍの厚さの木材チップを原料とする成形板材と木材の繊維素を原料とする繊維板材の表面にメラミン樹脂を溶融したものを加圧付着処理した材料であり、前記材料を家具の前面、又はテーブル台面に適切に切断、結合して使用されている。
【００１３】医療福祉家具は、表装材の表面には、０・０５〜１ｍｍの生地色から濃厚色、又は自然素材の木質の質感をもつ模様を施した突板、又は樹脂フイルムを貼って、床頭台、ロッカー、食卓台、チェストになっている。
【００１４】板材へのメラミン樹脂処理は、木材チップを原料とする成形板材であるパーチクルボードと木材の繊維素を原料とする繊維板材であるＭＤＦ上の平滑な化粧紙の表面に含侵させた前記樹脂を１〜１０ｋｇ／ｍ２の低圧状態で加圧付着して、０．０５〜０．５ｍｍのメラミン層を設けて、表面の硬さを４Ｈ〜１０Ｈにしている。
【考案の効果】
【００１５】  本考案によれば、医療福祉家具の前面、及びテーブル台にメラミン加工した材料よって覆うことによって外観上を損なうことなく、それらの家具が食事中に食品、投薬の飛散による汚れも簡単に吹き消される。またベット、家具類、医療機器の移動において医療福祉家具に接触することもあって、擦り傷がつくことが少なく、清潔で、破損部のない家具を維持することができた。この製品は表面硬度が高く、耐汚染性、耐摩耗性、耐熱性、耐水性、耐久性に優れたものであり、安心して医療、福祉施設で使用できるようになった。
【００１６】病院内、介護施設内の部屋の自然環境をもたらされる木製医療福祉家具において、病院内で汚れは禁物であり、さらに関係者の多忙で医事器具を使用において家具などに接触させることが頻繁に起こり、一般に病院などの家具では擦り傷がつく場合が非常に多いが、このメラミン処理した医療福祉家具を使用したために、これら病院、介護施設の従事者が安心して作業ができるようになった。
【図面の簡単な説明】
【００１７】
【図１】メラミン処理材料を使用した医療福祉家具を示す斜視図である。  Ａ：床頭台  Ｂ：チェスト
【図２】医療福祉家具に使用するメラミン処理材料の図である。  Ａ：断面図  Ｂ：斜視図
【図３】医療福祉家具においてメラミン処理材料を使用したテーブルの図である。
【考案を実施するための形態】
【００１８】  以下、本考案の実施の形態で図面を参酌しながら説明し、本考案の理解に供する。図１は、本考案はメラミン処理材を適用した医療福祉家具の一実施例を示す斜視図、図２は、図１における要部平面説明図である。
【実施例１】
【００１９】図１Ａに示すように木製板材で構成された引き出と、開き戸付き棚と、電気機器を収納可能な空間棚と、スライドテーブルを持つ収納部と、テレビなどの載置台と、引き戸付き棚と、テーブル台とから選ばれたなる木製医療福祉家具において、汚れを少なく、擦り傷のない家具にするために、前記木製医療福祉家具の前面、又は台に、メラミン樹脂を処理した材料を使用した。【００２０】図２に示すようにメラミン樹脂を処理した材料は、２５ｍｍの厚さのＭＤＦの表面に表装材の表面には、０．１ｍｍの生地色から濃厚色のメラミン含浸化粧紙フイルムを貼って、メラミン樹脂を含侵したものを加圧付着処理した材料であり、前記材料を家具の前面に適切に切断、接合して、床頭台を製作した。
【実施例２】
【００２１】図１Ｂに示すように木製板材で構成された引き出天と天板とからなる木製医療福祉家具において、汚れを少なく、擦り傷のない家具にするために、前記木製医療福祉家具の前面と天板に、メラミン樹脂を処理した材料を使用した。【００２２】メラミン樹脂を処理した材料は、２０ｍｍの厚さＭＤＦ材の表面にメラミン樹脂を溶融したものを加圧付着処理した材料であり、前記材料を家具の前面、又は天板に適切に切断、接合した。【００２３】医療福祉家具のチェストは、表装材の表面には、濃厚色、又は自然素材の木質の質感をもつ模様を施したメラミン処理した化粧板を貼って、チェストを製作した。
【実施例３】
【００２４】  図３に示すように木製板材で構成されたテーブル台の木製医療福祉家具において、汚れを少なく、擦り傷のない家具にするために、前記テーブルの木製医療福祉家具の天板台に、メラミン樹脂を処理した材料を使用した。【００２５】メラミン樹脂を処理した材料は、１０〜３０ｍｍの厚さのパーチクルボード材の表面にメラミン樹脂を溶融したものを加圧付着処理した材料であり、前記材料をテーブル台面に適切に切断、接合した。【００２６】医療福祉家具は、表装材の表面には、０・１ｍｍの生地色から濃厚色、又は自然素材の木質の質感をもつ模様を施したメラミン処理化粧板を貼って、テーブルを製作した。
【符号の説明】
【００２７】１      床頭台
２      チェスト
３      載置台
４      キャスター
５      引き出し
６      開き戸
７      側板
８      ＥＢコーティング化粧紙
９      台盤板
１０    前板
１１    天板
１２    メラミン化粧板
１３    収納部
１４    バーチクルボード
１５    ＭＤＦ
１６    テーブル
１７    面桟
１８    塗装仕上げ
１９    ソフトエッジ
２０    脚
【図１】
0003207362.tif 000003
【図２】
0003207362.tif 000004
【図３】
0003207362.tif 000005